Podtech/llm-jp-corpus-v4-ja_patent huggingface dataset:
(57)【要約】【課題】簡便に使用することができ、ハンディダスター（ホコリ取り）に付着した塵埃を効果的に集塵することができる集塵用アタッチメントを提供する。【解決手段】集塵用アタッチメントの筒状本体１を、前端にハンディダスター４の穂４ａの部分が挿入可能な開口１ａを設けると共に、後端に電気掃除機５の吸引ノズル５ａに嵌合可能な嵌合口１ｂを設ける。筒状本体１は後端に向かって直径が幅狭となる略円錐状になるようにテーパ状に形成する。筒状本体１の内周面に、その長手方向に沿って放射状のリブ２を複数条突設する。【選択図】  図１
2008136710.tif 000002
【特許請求の範囲】
【請求項１】
電気掃除機の吸引ノズルに着脱自在に取り付けられるホコリ取りの集塵用アタッチメントであって、一端にホコリ取りが挿入可能な開口を設けると共に、他端に前記電気掃除機の吸引ノズルに嵌合可能な嵌合口を有する筒状の本体と、該本体内周面に突設された複数のリブとからなることを特徴とするホコリ取りの集塵用アタッチメント。
【発明の詳細な説明】
【技術分野】
【０００１】
本発明は、ホコリ取り（ハタキ）等に付着した塵埃を効果的に集塵するために電気掃除機に装着して使用される集塵用アタッチメントに関するものである。
【背景技術】
【０００２】
清掃作業において、穂の部分を導電性繊維等で製作し、静電吸着作用でホコリを取る道具（以下、ハンディダスターという）が広く使用されているが、穂に吸着した塵埃は戸外やゴミ箱の上で振り落とすことが一般的に行われている。これでは、清掃箇所はきれいになっても戸外やゴミ箱周辺には塵埃を振り撒くことになりかねない。
【０００３】
一方、ブラシを植毛した筒にバイブレーターを内蔵し、この筒を電気掃除機の先端に取り付けて塵埃を吸引除去する電動ハタキ（特許文献１参照。）や無数の孔が空けられた軸に回転プロペラ及びハタキ部分を取り付けこれを収容した胴体を電気掃除機の吸気ズームパイプに接続し、その吸引力を利用してハタキ部分を回転させ、埃を落とし及び埃吸引を行う装置（特許文献２参照。）が開示されている。
【０００４】
【特許文献１】特開平９−９８９２１号公報
【特許文献２】特開２０００−２１０２４０号公報
【発明の開示】
【発明が解決しようとする課題】
【０００５】
しかしながら、上記いずれの装置も電気掃除機にハタキ部分を直接連動させるものであるので、操作の手軽さに欠け、構造も複雑になり製作コストも嵩む。本発明は上記のような従来技術の課題に鑑み、簡便に使用することができ、ハンディダスターに付着した塵埃を効果的に集塵することができる集塵用アタッチメントを提供することを目的とする。
【課題を解決するための手段】
【０００６】
そこで本発明は、電気掃除機の吸引ノズルに着脱自在に取り付けられるホコリ取りの集塵用アタッチメントであって、一端にホコリ取りが挿入可能な開口を設けると共に、他端に前記電気掃除機の吸引ノズルに嵌合可能な嵌合口を有する筒状の本体と、該本体内周面に突設された複数のリブとからなることを特徴とする。
【発明の効果】
【０００７】
（１）ハンディダスターで捕捉した塵埃を戸外やゴミ箱周辺に振り撒くことなく、確実に廃棄処理できる。
（２）電気掃除機の吸引ノズルに容易に着脱でき、本体内周面に突設された複数のリブによりハンディダスターが吸着した塵埃を効果的に振るい落とすことができる。
【発明を実施するための最良の形態】
【０００８】
以下、図面に示す実施例に基づいて本発明に係る集塵用アタッチメントの実施形態を説明する。
図１は本発明に係る集塵用アタッチメントを示す前後二方向から見た斜視図、図２（ａ）は本発明に係る集塵用アタッチメントの一部破断側面図、（ｂ）は正面図、図３は本発明に係る集塵用アタッチメントの使用状態を示す斜視図である。
【実施例】
【０００９】
図１乃至図３に示すように、集塵用アタッチメントの筒状本体１は、前端にハンディダスター４の穂４ａの部分が挿入可能な開口１ａが設けられると共に、後端には電気掃除機５の吸引ノズル５ａに嵌合可能な嵌合口１ｂが設けられている。また、筒状本体１は後端に向かって直径が幅狭となる略円錐状になるようにテーパ状に形成されている。これは射出成型等の製作工程の際、型抜きを容易にするためである。図中、３は取手でビス等により筒本体１に後付けされる。また、嵌合口１ｂもテーパ状に形成され、様々なサイズの吸引ノズルにも接合できるようにされている。
【００１０】
筒状本体１の内周面には、その長手方向に沿って放射状のリブ２が複数条突設されている。そして、筒状本体１内にハンディダスター４の穂４ａの部分を挿入して回動させることで、複数のリブ２が穂４ａに付着した塵埃を圧接して掻き落としながら電気掃除機５内に集塵される。ここで、リブ２もその前端２ａから後端２ｂに向かって幅広となるテーパ状に形成され、射出成型等の製作工程の際の型抜きを容易にできるようにされている。尚、嵌合時の集塵用アタッチメントの落下防止等に配慮して、筒状本体１と吸引ノズル５ａとを固定紐６で連結すると良い。また、本発明の集塵用アタッチメントは、軽量化による使い良さ等を考慮してプラスチック等の合成樹脂で製造するのが好ましいが、金属製でも良く、とくに材質は限定されない。
【図面の簡単な説明】
【００１１】
【図１】本発明に係る集塵用アタッチメントを示す前後二方向から見た斜視図である。
【図２】（ａ）は本発明に係る集塵用アタッチメントの一部破断側面図、（ｂ）は正面図である。
【図３】本発明に係る集塵用アタッチメントの使用状態を示す斜視図である。
【符号の説明】
【００１２】
１    筒状本体
１ａ  穂挿入口
１ｂ  吸引ノズル嵌合口
２    リブ
２ａ  リブの前端
２ｂ  リブの後端
３    取手
４    ハンディダスター（ホコリ取り）
４ａ  ハンディダスターの穂
５    電気掃除機
５ａ  吸引ノズル
６    固定紐
【図１】
2008136710.tif 000003
【図２】
2008136710.tif 000004
【図３】
2008136710.tif 000005
(57)【要約】      （修正有）【課題】自分の声、固定メッセージ以外の音声も留守番電話ガイダンスに流せるようにする。【解決手段】留守番電話に対応内容を入力する際、自分の発音が悪い人には音調を調節して、音声が悪い人は音声変換した音声を選択することができる。音痴や声が出せない人にはダイヤルボタンなどで打ち込んだ対応内容を音声に変換して、再生されたものが留守番電話ガイダンスに流れる。【選択図】図１
2008136153.tif 000002
【特許請求の範囲】
【請求項１】
送受話器から対応内容を半導体メモリに保存した自分の音声は、ダイレクト線８を通り直接再生することもできる。また音声変換部９〜音声変換部１１に切替されることで、音声変換部９は事務的な音声、音声変換部１０は女性的な音声、音声変換部１１は男性的な音声のように変換される。音声変換部を増やせばもっと多くの音声に変換できることを特徴とする音声変換留守番電話。
【請求項２】
ダイヤルボタンなどで打ち込まれた対応内容はデジタル表示で確認できる。その打ち込んだ対応内容を音声電子信号に変換して、音声変換部９〜音声変換部１１で変換された音声が留守番電話ガイダンスに流れることを特徴とする音声変換留守番電話。
【請求項３】
ダイレクト線８、音声変換部９〜音声変換部１１を通った音声は、音調調節ボリュームにより音調チューニング部が調節した音声を再生することを特徴とする音声変換留守番電話。
【発明の詳細な説明】
【技術分野】
【０００１】  本発明は、自分の声をいろいろな音声に変換して、留守番電話ガイダンスに流せるようにした。またダイヤルボタンなどで打った対応内容も留守番電話ガイダンスに流せるようにした
【背景技術】
【０００２】  従来は、留守番電話ガイダンスに流す音声は、自分の声か固定メッセージしか流せなかった。
【発明の開示】
【発明が解決しようとする課題】
【０００３】  留守番電話の応答内容を入力するときに、自分の声は発音や音声が悪くて苦手意識な人がいる為に、固定メッセージで対応している人も多いが、名字や会社名は入っていないので電話した先方に失礼で不信感を与える。これらを解決することを課題とする。
【問題を解決するための手段】
【０００４】  請求項１の発明は、持主が自分の音声を留守番電話ガイダンスに流すとき、再生された自分の音声だけでなく、たとえば音声変換部９は事務的な音声、音声変換部１０は女性的な音声、音声変換部１１は男性的な音声のように変換できる。音声変換部を増やすことでいろいろ多くの音声に変換できることを特徴とする。
【０００５】  請求項２の発明は、音声の対応内容を認識できないときに、デジタル表示で確認しながら打ち込める。その打ち込んだ対応内容の音声を音声変換部９〜音声変換部１１が変換して留守番電話ガイダンスに流れることを特徴とする。
【０００６】  請求項３の発明は、発音が悪い人や音痴な人の音調を、音調チューニング部が調節して聞き取りやすい音声に調節することを特徴とする
【発明の効果】
【０００７】  会社や個人で留守番電話に対応内容を入力する再、自分の音声だけでなくいろいろな音声に変換できる。確認しながらダイヤルボタンなどで打ち込んだ対応内容を音声に変換して、再生されたものが留守番電話ガイダンスに流れる。
【発明を実施するための最良の形態】
【０００８】  留守番電話切替スイッチ５により１ａ留守番電話に設定する。送受話器１から入った対応内容は２ａ音声電子信号に変換して回線に送出される。送出された音声電子信号は半導体メモリ２に保存するものと、５ａダイヤルボタンなどで打った対応内容をデジタル表示３に登録して音声電子信号変換部４が変換する。変換された音声電子信号は４ａ登録に対応した音声を回線に送出してから、半導体メモリ２に保存されるもとがある。３ａ保存した音声電子信号を回線に送出して制御部６に入る。音声切替スイッチ７により６ａ制御部は（８〜１１）に切替できる。ダイレクト線８は直接音調チューニング部１４いる。音声電子信号は７ａ音声変換部（９〜１１）の音声は変換される。たとえば音声変換部９は事務的な音声、音声変換部１０は女性的な音声、音声変換部１１は男性的な音声のように変換されたて、音調チューニング部１４に入る。（８〜１１）の発音などは、音調調節ボリューム１３により８ａ音調チューニング部が音調を調節したものが、再生部１２入り、９ａ音声を再生から１０ａ再生された音声は留守番電話ガイダンスに流れる。
【産業上の利用可能性】
【０００９】  本発明に係る音声変換留守番電話は、工業的に量産する事が可能であるため、産業上の利用可能性を有する。
【図面の簡単な説明】
【００１０】
【図１】  実施形態に係る音声変換留守番電話の基本を示す構成図である。
【図２】  実施形態に係る音声変換留守番電話の動作を示すフローチャート図である。
【符号の説明】
【００１１】  １    送受話器
２    半導体メモリ
３    デジタル表示
４    音声電子信号変換部
５    留守番電話切替スイッチ
６    制御部
７    音声切替スイッチ
８    ダイレクト線
９    音声変換部
１０  音声変換部
１１  音声変換部
１２  再生部
１３  音調・調節ボリューム
１４  音調チューニング部
【図１】
2008136153.tif 000003
【図２】
2008136153.tif 000004
(57)【要約】      （修正有）【課題】携帯電話を使用する人が、より速やかに応対できるようにする。【解決手段】携帯電話１に、複数の電話番号を設けてその数だけの機能を設け、また、その数だけの着信ランプ２を設け、それぞれに異なる色をつける。【選択図】図１
2008136155.tif 000002
【特許請求の範囲】
【請求項１】
携帯電話に複数の着信ランプを設けたことを特徴とする。
【請求項２】
前記、携帯電話は着信番号別に点灯し、それぞれの機能も備わることを特徴とする請求項１記載の携帯電話
【発明の詳細な説明】
【技術分野】
【０００１】この発明は、一台の携帯電話に、複数の電話番号を使用する一台で、二役以上の電話の形状に関する。
【背景技術】
【０００２】従来の携帯電話使用に用いる、形状は未だかつて使用されていない。だが、図１に示すように、携帯電話の中に、セットされた電話番号の数だけ、表側に着信ランプが、設けられたものである
【発明の開示】
【発明が解決しようとする課題】
【０００３】しかしながら、以上の技術によれば、仕事用、プライベート用などと携帯電話を何台も、持たなくては、いけない、無駄なことであった。
そこで、この発明は、携帯電話が、一台ですみ、着信ランプなどの色を変える事によって、電話を使用する人に、よりよく速やかに、応対ができる。また各電話番号にもすべての機能が付いている事を提供することを、課題とする
【課題を解決するための手段】
【０００４】以上の課題を解決するために、第一発明は、携帯電話の表に使用する、電話番号の数だけ、着信ランプを表示することを特徴とする携帯電話である。
また、第二発明は、着信ランプに、色を付け、それぞれに色変えをする事を特徴とする
【発明の効果】
【０００５】第一発明、第二発明によれば、携帯電話の表側の目立つ所に、着信ランプを、設けた事によって、速やかに、応対ができる。
【発明を実施するための最良の形態】
【０００６】この発明の一実施形態を、図１に示す。
この携帯電話の本体は、従来通りであり、この本体は、「折りたたみ式携帯電話」「一体式携帯電話」で、表側に、本体に使用する電話番号の数だけ着信ランプが設けられている【０００７】「実施形態の効果」
この実施形態によれば、この着信ランプの働きで、電話の応対がしやすい。したがって、今まで、二台、三台と持っていた携帯電話が一台で、対応できるため、手軽で、ファッション的にも、見た目もよい。【０００８】「他の実施形態」
図１の実施形態では、着信ランプは使用する、電話番号の数だけ、表側に着信ランプで、あったが、他の実施形態では、ランプは、使用する電話番号の数だけ、上部、中心部、下部、裏部に設けたものでもよい。また、ランプの形はどんな形でもよい。
【図面の簡単な説明】
【０００９】
【図１】この発明の一実施形態を示す斜視図である。
【図２】従来技術を示す斜視図である。
【符号の説明】
【００１０】１、携帯電話本体
２、携帯電話、着信ランプ
３、
【図１】
2008136155.tif 000003
【図２】
2008136155.tif 000004
(57)【要約】【課題】ＳＤカードの、組み替えや、ダウンロードで携帯電話の、使用範囲が、増えたら。【解決手段】今までは、ＳＤカードと携帯電話で、楽しめたこれからは、衛生からの、ダウンロードでも、楽しめる。【選択図】図１
2008136154.tif 000002
【特許請求の範囲】
【請求項１】
この携帯電話は、ＳＤカードを、各ジャンル別に使い、電子手帳やミユウジックなどｅｔｃ．．．．は、衛生よりダウンロードするので、解らないような物が、なくなるでしょう。テレビ、ゲーム、銀行などの引き落とし、カメラ、など色々です、
【発明の詳細な説明】
【技術分野】
【０００１】衛生からの、電波をダウンロードしてＳＤカードの、交換にヨリ、全てに対応が、可能。
【発明の開示】
【発明が解決しょうとする課題】
【０００２】これ一つで、全ての事が、賄える、
【課題を解決するための手段】
【０００３】液晶に、ダウンロードを、利用する物は、ダウンロード。  ＳＤ利用うは、ＳＤカードを使い、各分野に、使用する。
【発明の効果】
【０００４】これさえ有れば、全てに使える。
【発明を実地するための最良の形態】
【０００５】この携帯電話は、必要にオオジテＳＤカードを、取り替えたり、衛生からのダウンロードで、全ての事に楽しめます。
【図１】
2008136154.tif 000003
【手続補正書】
【提出日】平成19年2月1日(2007.2.1)
【手続補正１】
【補正対象書類名】明細書
【補正対象項目名】全文
【補正方法】変更
【補正の内容】
【発明の詳細な説明】
【技術分野】
【０００１】衛生からの、電波をダウンロードしてＳＤカードの、交換にヨリ、全てに対応が、可能。
【発明の開示】
【発明が解決しょうとする課題】
【０００２】  これ一つで、全ての事が、賄える、
【課題を解決するための手段】
【０００３】  液晶に、ダウンロードを、利用する物は、ダウンロード。
ＳＤ利用は、ＳＤカードを使い、各分野に、使用する。
【発明の効果】
【０００４】  これさえ有れば、全てに使える。
【発明を実地するための最良の形態】
【０００５】  この携帯電話は、必要にオオジテＳＤカードを、取り替えたり、衛生からのダウンロードで、全ての事に楽しめます。
【図面の簡単な説明】
【０００６】
【図１】平面図を表す図である。
(57)【要約】      （修正有）【課題】１次側コイルに対する２次側コイルの設置位置にかかわらず、２次コイル側から最大電力が発生して、効率も高く維持することのできる平面コイルを提供する。【解決手段】平面内で巻回した口径の相違する複数のコイル１，２を同心に配置し、複数のコイル１，２同士を直列又は並列に接続リード線４で接続した。このように構成することにより、発生する磁束密度が均一となって、１次コイルに対する２次コイルの配設位置にかかわらず、同一の電力を伝送することができる。【選択図】図１
2008136311.tif 000002
【特許請求の範囲】
【請求項１】
平面内で巻回した口径の相違する複数のコイル(１)(２)を同心に配置し、複数のコイル(１)(２)同士を接続リード線(４)で接続したことを特徴とする複合平面コイル。
【請求項２】
複数のコイル(１)(２)を直列に接続した請求項１に記載の複合平面コイル。
【請求項３】
複数のコイル(１)(２)を並列に接続した請求項１に記載の複合平面コイル。
【発明の詳細な説明】
【技術分野】
【０００１】
本発明は、例えば小型電子機器等の電力系に使用される電力伝送用コイルに関し、特に、コイルを平面的に巻回させている平面コイルを同一平面内に複数配置した複合平面コイルに関する。
【背景技術】
【０００２】
従来、電磁調理器用加熱コイルとしては、鍋などの被加熱物の底部寸法にかかわらず、充分な加熱電力と均一な加熱パターンを得るために、平面的に巻回したコイルを同一平面内に同心で複数配置したものは提案されている (特許文献１)。
【特許文献１】特開平８−５５６７８号
【発明の開示】
【発明が解決しようとする課題】
【０００３】
ところが、小型電子機器等の電力伝送用に使用されているコイルにあっては、複数の平面コイルを配置したものは提供されていない。そして、電力伝送に使用する平面コイルの場合、その商用化を前提とした場合、電力伝送する際２次側コイルの位置マージンを持たせるため、１次側コイル径を２次側コイル径よりも大きく形成し、電力伝送範囲を多く取手法が用いられているが、１次側コイル径が大きいため、磁束密度が必ずしも一定ではなく、伝送できる電力に無駄が生じていた。
【０００４】
例えば、１次側コイル径が２次側コイル径よりも１.５倍程度大きい場合、２次側に発させいする起電力の最大地点は必ずしも１次側コイルの中心とはならず、少しずれた地点が最大電力となる。さらに、効率面でもやはり、少しずれた地点が最大となる。このことは、２次側コイルを１次側コイルのどの位置に置くかによって、２次側コイルに発生する電力が変化することを意味することから、発生電力が不安定となる要因になっている。
【０００５】
本発明は、このような点に着目してなされたもので、１次側コイルに対する２次側コイルの設置位置にかかわらず、２次コイル側ら最大電力が発生して、効率も高く維持することのできる平面コイルを提供することを目的としている。
【課題を解決するための手段】
【０００６】
上述の目的を達成するために請求項１に記載の本発明は、平面内で巻回した口径の相違する複数のコイルを同心に配置し、複数のコイル同士を接続リード線で接続したことを特徴としている。また、請求項２に記載の発明は、同心配置した口径の異なる複数の平面コイルを直列接続したことを特徴とし、請求項３に記載の本発明は、同心配置した口径の異なる複数の平面コイルを並列接続したことを特徴としている。
【発明の効果】
【０００７】
本発明では、平面内で巻回した口径の相違する複数のコイルを同心に配置し、それぞれれのコイルを直列又は並列に接続して、発生する磁束密度が均一となるようにしてあるので、１次コイルに対する２次コイルの設置位置にかかわらず、同一の電力を伝送することができる。
【０００８】
さらに、異なったインダクタンスを持つコイルを複数並列配置した場合には、周波数を切り替えることで送電する電力を制御することができる。また、異なったインダクタンスを持つ電力の相違する複数の携帯用機器に同一の１次側コイルを使用して送電することができる。
【発明を実施するための最良の形態】
【０００９】
図は本発明の一実施形態を示す１次側コイルの概略構成図である。
このコイルは平面内でドーナツ状に巻回した第１コイル(１)と、同じく平面内でドーナツ状に巻回した第２コイル(２)と、シールド材(３)とから構成してあり、第１コイル(１)と第２コイル(２)とはそれぞれその口径を異ならせて形成してある。
【００１０】
第１コイル(１)の内径は第２コイル(２)の内径よりも大径に形成してあり、第２コイル(２)が第１コイル(１)の内径内側に形成される空間部分に嵌り込めるようにしてある。
【００１１】
そして、第１コイル(１)と第２コイル(２)とは、第１コイル(１)の内端接点と第２コイル(２)の外端接点とを接続リード線(４)で結線することにより、第１コイル(１)と第２コイル(２)とを直列に位置させている。
【００１２】
この結果、図２に示すように大径に形成されている第１コイル(１)の中心部で減少する起電力が、小径に形成されている第２コイル(２)の起電力で補充される状態となるから、中心部での起電力が一定化されることになるから、したがって、このような構成のコイルを電力伝送用コイルの１次側コイルとすると、広い面積にわたって一定値以上の電力を供給することができることから、図示を省略した２次側コイルを１次側コイルに対して偏芯させて載せても、２次側コイルに発生する起電力は安定することになる。
【００１３】
図３は、別の実施形態を示し、これは、平面内でドーナツ状に巻回した大口径の第１コイル(１)と、平面内でドーナツ状に巻回した小口径の第２コイル(２)とを、第２コイル(２)が第１コイル(１)の内側空間部に位置する状態に配置し、内端接点同士及び外端接点同士をそれぞれ接続リード線(４)で結線することにより、第１コイル(１)と第２コイル(２)とを並列に接続されている。
【００１４】
このように第１コイル(１)と、第２コイル(２)とを並列に接続した場合、第１コイル(１)と第２コイル(２)とのインダクタンスを異なったものとすることで、周波数を切り替えることにより、送電する電力を制御することができる。これにより、異なるインダクタンスを持つ電力の相違する携帯機器を同一の１次側コイルで送電することができる。
【産業上の利用可能性】
【００１５】
本発明は、携帯機器などへの電力供給に使用する無接点電力伝送用コイルとして利用することができる。
【図面の簡単な説明】
【００１６】
【図１】本発明の一実施形態を示す概略構成図である。
【図２】コイル中心からの距離と起電力との関係を示す図である。
【図３】本発明の別の実施形態を示す概略構成図である。
【符号の説明】
【００１７】
１・２…コイル、４…接続リード線。
【図１】
2008136311.tif 000003
【図２】
2008136311.tif 000004
【図３】
2008136311.tif 000005
(57)【要約】【課題】  超音波分散機用ホルダーが固定であったために、いままで分散そのものが出来ない被分散物質が発生していた。また生産設計が固定式のため条件が固定化されていた。【解決手段】  可変式超音波専用可変ホルダーを装着することにより、通過する被分散物質が、超音波分散機専用ホルダーの間隙を変化させることにより、いままで分散そのものが出来ない被分散物質の分散の可能性が広がり、研究開発、生産設計に役立つ。【選択図】図１
2008136993.tif 000002
【特許請求の範囲】
【請求項１】
超音波分散機に用いるホルダーの振動面の間隙を変化させるための可変式超音波分散機専用ホルダー
【発明の詳細な説明】
【技術分野】
【０００１】  本発明は、超音波分散機の振動面の間隙を可変できる  可変式超音波分散機専用のホルダーに関する。
【背景技術】
【０００２】  従来、超音波分散機用ホルダーは固定式で、流量、圧力、振幅により分散効率を決定していた。
【特許文献１】特開２００６−２４０２８２号公報  特開２００４−２６７９９２号公報  特開２００４−２４９３７０号公報  特開２００１−３３３７３５号公報  特開平１０−３０１３３３号公報  特開平１０−０５７７９３号公報
【発明の開示】
【発明が解決しようとする課題】
【０００３】  しかしながら、超音波分散機は超音波分散機用ホルダーの振動面が固定式のため、目的とする分散能力に制限が生じている。
【課題を解決するための手段】
【０００４】  以上の課題を解決するために、第一発明は、被分散物質が振動面に当たる間隙を可変することにより、流量、圧力、振幅に振動面の距離を追加することにより、粘度の影響や、粒形による振動面の適正距離を測定出来、分散効率の研究開発と生産設計につながることを特徴とする可変式超音波分散機用専用ホルダーである。
【発明の効果】
【０００５】  第一発明は、超音波分散機に可変式超音波分散機専用ホルダーを装着することにより、いままでの超音波分散機の特徴に振動面の距離を追加することにより、研究から生産設計までの最適な使用方法が実現できる。
【発明を実施するための最良の形態】
【０００６】  この発明の実施形態を、図１に示す。
超音波分散機に取付金具１でホルダー本体２を装着する。ホルダー本体２は冷却入口３から冷媒を挿入し冷却部４を通過し冷却出口５より冷媒を排出する。被分散物質は試料入口６から挿入し間隙７を通過し試料出口８より排出する。間隙可変冶具９はねじ方式で回転させ、Ｏ−リング１０で被分散物質が漏れ出ないようにする。
【実施形態の効果】
【０００７】  この実施形態によれば、図１の超音波分散機専用ホルダーを超音波分散機に装着することにより、振動面の間隙を可変できる。
【産業上の利用の可能性】
【０００８】  超音波可変ホルダーで振動面の間隙を可変することにより、今後さらに微粒子化するナノ粒子の生産設計や、不向きと言われていた高粘性の中の粒子の分散に応用でき液晶の分散、液晶顔料の分散、記録材料の微粒子化、研磨剤の微粒子化などの研究に役立ち、振動面の間隙の決定により、生産設備の移行に貢献する。
【図面の簡単な説明】
【０００９】
【図１】本発明の図面である。
【符号の説明】
【００１０】１．  取付金具
２．  ホルダー本体
３．  冷却入口
４．  冷却部
５．  冷却出口
６．  試料入口
７．  間隙
８．  試料出口
９．  間隙可変冶具
１０．Ｏ−リング
【図１】
2008136993.tif 000003
(57)【要約】      （修正有）【課題】パターの横グリップを有することによりボールを打つ瞬間に目標方向に正確に振ることができるパターを提供する。【解決手段】パター５のシャフト１の延長線上のグリップが縦グリップ３とその上に位置する横グリップ４により、手が縦握りと横握りになるため、ボールを打つ瞬間にぶれがなく正確にパターを振子の如く振ることができる。パターの長さを複数種類にする、又シャフト部分の伸縮ができる構造にして、利用者の好みの長さに合わせる仕組にしたものである。【選択図】図１
2008136825.tif 000002
【特許請求の範囲】
【請求項１】
パターのシャフトの先のヘッドのその反対側に位置するグリツプを縦グリップと横グリツプと２箇所のグリップから成るパター。
【請求項２】
パターのシャフトの部分を伸縮の調整ができる仕組にしたパター。
【発明の詳細な説明】
【技術分野】
【０００１】  本発明はゴルフの主としてグリーン上で使用するためのパターに関する。
【背景技術】
【０００２】  一般にはヘッドから伸びるシャフトの延長線上にグリップを有している。【０００３】  なお本発明は目標に正確にボールを打つために片方の手はシャフトの延長線上の縦グリップを使用、もう片方の手は横グリップを使用する仕組である。
【発明の開示】
【発明が解決しようとする課題】
【０００４】  上述の如く従来に係るパターはシャフト線上の縦のグリップを両方の手で握りボールを打っていたので、打ち形により目標方向よりやや外れた方向に飛ぶ場合がある。【０００５】  このため本発明のパターの横グリップを有することによりボールを打つ瞬間に目標方向にパターを振ることができるようにすることにある。
【課題を解決するための手段】
【０００６】  上述の目的を達成する本発明のパターのシャフトの延長線上のグリップが縦グリップとその上に位置する横グリップにより、手が縦握りと横握りになるため、ボールを打つ瞬間にぶれがなく正確にパターを振子の如く振ることができる。【０００７】  本発明のパターは長さを複数種類にする、又シャフト部分の伸縮ができる構造にして、利用者の好みの長さに合わせる仕組にしたものである。
【発明の効果】
【０００８】  以上説明したように本発明によれば、２箇所のグリップを有することで、パターを正確に振ることができる仕組である。【０００９】  横グリップを有することで握りが自然体になるので肩に余分な力が入らず目標に向かってスムーズに振ることができる。
【発明を実施するための最良の形態】
【００１０】  以下、本発明の形態を図面に基づき説明する。【００１１】  図１、図２、図３は本発明の実施の形態に係り、その側面図である。【００１２】  図１、図２、図３に示すようにパター５はシャフト１の先端にボールを打つためのヘッド２を有し、その反対側に縦グリップ３と横グリップ４を有したものから成るものである。
【実施例】
【００１３】  ゴルフの主としてグリーン上で使用するパター５はシャフト１の延長線上にある縦グリップ３を片方の手で握り、横グリップ４をもう片方の手でこぶし状に握ることで、Ｔ字形に近い手の握り状態になるため、振る瞬間のぶれを防ぎ正確にボールを打つことができる仕組である。【００１４】  以上、本発明の実施の形態及び実施例を説明したが、本発明はパターのグリップ部分を縦グリップ３と横グリップ４の２箇所にしたことを特徴としたパターである。
【産業上の利用可能性】
【００１５】  本発明はゴルフのパターを製造販売する産業分野で利用することができる。
【図面の簡単な説明】
【００１６】
【図１】    本発明のパターの一例を示す側面図である。
【図２】    本発明のパターの一例を示す側面図である。
【図３】    本発明のパターの一例を示す側面図である。
【符号の説明】
【００１７】    １    シャフト
２    ヘッド
３    縦グリップ
４    横グリップ
５    パター
【図１】
2008136825.tif 000003
【図２】
2008136825.tif 000004
【図３】
2008136825.tif 000005
(57)【要約】【課題】一般家庭において豆腐を切るにあっては、手の平に豆腐を置き包丁を入れることが多い。女性の小さな手では、安定しない手の平ゆえに真っすぐに包丁を入れることができず、きれいに切ることが困難であったり、また、豆腐を転落させるということがあった。更に、手の平の上の豆腐を沸騰した汁の入った鍋に入れる場合に、豆腐を落とすように入れることで、汁が飛び散り、辺りを汚したり、場合によっては火傷をするということがあった。【解決手段】包丁を入れやすいように、豆腐を乗せて角度を自由に転回でき、その上で豆腐を切ることが出来るプレートを作る。また、プレートの上で切った豆腐は、そのまま鍋の上に持って行き、プレートごと鍋に投入することで汁の飛び散りによる危険が回避できる。【選択図】図１
2008136830.tif 000002
【特許請求の範囲】
【請求項１】
豆腐を乗せるプレート本体と転落を防止する羽根により構成され、濡れた手でもプレートが手から落ちることがないように、指を差し込むことができる取っ手がある豆腐切り補助具。
【発明の詳細な説明】
【技術分野】
【０００１】  本発明は、一般家庭での調理用器具に関する物である。
【背景技術】
【０００２】  商業用の豆腐切り用の機械は既にあるが、大型であり高額である。一般家庭において使用する豆腐切りの器具では、プラスチックの容器に入れて押し出す過程で豆腐を賽の目に切る器具がある。
【発明の開示】
【発明が解決しようとする課題】
【０００３】  従来の家庭用豆腐切りの器具では、プラスチック容器の上部及び側面に、豆腐を切るためのスリットが格子状にあり、豆腐を押し出すことによって賽の目を形成するものであるが、格子の幅が固定であるため、豆腐のサイズが異なる場合、端の部分は異なったサイズになることがあり、均一な賽の目を形成することができない。【０００４】  また、豆腐を切る場合、手の平に置いて切る場合が多いが、豆腐を乗せた手を動かす過程で豆腐が転落することがある。特に、手の小さな女性にあっては困難な作業である。更に、包丁を扱っている時に、小さな子供などが辺りにいるときなどは、ぶつかってきて包丁で手を切るのではないかという恐怖さえもある。【０００５】  切り終えた豆腐を、沸騰した汁が入った鍋に入れるのは困難である。特に、手の平に置いた豆腐を入れるにあっては、豆腐を鍋に落とした際に、沸騰した汁のはね返りでガス台の辺りを汚したり、場合によっては火傷をするということがある。【０００６】  本発明は、豆腐を容易に切ることができるようにするとともに、豆腐を鍋に安全に入れることができるようにするものである。
【課題を解決するための手段】
【０００７】  本発明では、器具の形状で豆腐を固定した賽の目に形成するのではなく、豆腐をプレートに乗せて自由に転回し、包丁で切りやすいように豆腐の角度を変えることができるようにするものである。【０００８】  調理台に置いた本発明品の上で豆腐を切ることにより、豆腐を安定した状態できれいに切ることができる。【０００９】  本発明品の上で切った豆腐をそのまま鍋に持って行き、静かに豆腐を流し込むことにより、沸騰した汁の飛び散りが解消される。
【発明の効果】
【００１０】  本発明によれば、豆腐を自由に転回して、包丁で切りやすい安定した状態に置くことができ、きれいに豆腐を切ることができる。【００１１】  また、女性の小さな手の平で切っていた場合には、豆腐が崩れてしまったり、安定しない手の平から転落したりということがあった。本発明のプレート上で切ることで、豆腐が転落して崩れるといったことがなくなる。
【発明を実施するための最良の形態】
【００１２】  以下、図を元に本発明の形態を説明する。１は本体のプレートである。２はプレート本体に包丁の傷が付かないように保護するラバーであり、合成ゴム或いはナイロンの素材を貼る。尚、ラバーの表面には１センチ幅での線が縦横に書かれており、豆腐を切るときの目盛となる。【００１３】  ３は本体プレートを立てた時に、豆腐が落ちないように支える羽根である。４枚の羽根で構成されているが、外側の２枚の幅は広く、中央の２枚が狭い。また、各羽根の間で形成される３つのスリット状の空間は、中央が狭く、両脇の空間が広くなっている。これは、豆腐を縦に切るに当たって、２等分、３等分、４等分などの各状況に合わせて包丁が入れやすいようにスリットを設けるためである。尚、羽根は本体プレートの端を折り曲げ、その上に２と同質の物で形成されたラバーを差込む。【００１４】  ４は、本体の端を円筒形に折り曲げて形成された取っ手である。この取っ手に親指を入れて持つことで、手の平全体で本体を支えるように持つことができる。濡れた手であっても滑らすことがない。
【図面の簡単な説明】
【００１５】
【図１】  豆腐切り補助具の全体を示す図である。
【図２】  豆腐切り補助具に豆腐を乗せ、本体を立てた上体で上下二枚に切っている状態を示す図である。
【図３】  豆腐切り補助具に豆腐を乗せて、縦に切っている状態を示す図である。
【符号の説明】
１  プレート本体
２  ラバー
３  羽根
４  取っ手
【図１】
2008136830.tif 000003
【図２】
2008136830.tif 000004
【図３】
2008136830.tif 000005
(57)【要約】【課題】従来、薬液一体型綿球は、包装上、綿球と薬液が綿球の外で隔壁されていた。したがって、包装の容積が大きくなり、また使用時は、開封前にその隔壁を開放する必要があり手間がかかった。本発明は、予め隔壁された薬液を綿球内に封入し、外圧を加えると、中の薬液が綿球に浸潤することで、包装容積を縮小化でき、使用時の薬液浸潤に手間のかからない簡便な薬液一体型綿球を提供する。【解決手段】綿球（１）内に、隔壁（２）の内部に薬液（３）を封入させ、使用時は、綿球（１）に外圧を加えると、綿球（１）および隔壁（２）を介して薬液（３）の内圧が高まり、開放する部（４）より薬液（３）が浸潤することを特徴とする。【選択図】図２
2008136829.tif 000002
【特許請求の範囲】
【請求項１】
綿球（１）の内部に、隔壁（２）にて隔てられた薬液（３）を注入したものを封入させた医療用綿球。
【発明の詳細な説明】
【技術分野】
【０００１】  この発明は、綿球の内部に、隔壁にて隔てられた薬液を注入した部が封入された医療用綿球に関するものである。
【背景技術】
【０００２】従来、綿球の外部で薬液と隔てられた、薬液一体包装型綿球があった。
【発明の開示】
【発明が解決しようとする課題】
【０００３】これは次のような欠点があった。
（イ）  綿球部と薬液部が外部で分かれるために、包装の容積が大きかった。
（ロ）  開封する前に、綿球部と薬液部の隔壁を、圧迫などで開放させ交通させるために、手間がかかった。
本発明は、これらの欠点を除くためになされたものである。
【課題を解決するための手段】
【０００４】  綿球（１）の内部に、隔壁（２）によって隔てられた、薬液（３）の封入体を封入させる。外圧にて薬液（３）の内圧が高まり、開放する部（４）から薬液（３）が漏出し、綿球（１）に浸潤する。本発明は、以上のような構成よりなる薬液封入型綿球である。
【発明の効果】
【０００５】  発明は以上のような構造で、綿球（１）の内部に、隔壁（２）によって隔てられた、薬液（３）の封入体を封入させる。使用時に外から圧迫すると、隔壁（２）を介して薬液（３）の内圧が高まり、隔壁（２）のうち、開放する部（４）が開放して、薬液（３）が漏出して綿球（１）に浸潤する。使用時に、綿球を外から圧迫をする。医療上の清潔操作時には、滅菌済みの鑷子などの道具を用いたり、滅菌手袋を装着して徒手的に圧迫を加える。薬液（３）が浸潤した綿球（１）は、そのまま処置に用いることができる。事前の包装は、綿球の容積に合わせればよく、注入する薬液も必要量のみにできるので、医療資源の無駄を省くことができる。また、使用前に薬液浸潤操作をする手間を省くことができるので、操作の効率化を図ることができる。
【発明を実施するための最良の形態】
【０００６】以下、本発明の実施例について説明する。
綿球（１）の内部に、薄くて丈夫な隔壁（２）があり、薬液（３）が封入されている。隔壁（２）の一部には、内圧が高まることで開放する部（４）がある。使用する際、綿球（１）を外から鑷子などでつまんで圧迫して、隔壁（２）ごと、薬液（３）の内圧を高めると、内圧が閾値を越えた際に、隔壁（２）の開放する部（４）が開放し、内部から薬液（３）が漏出し、綿球（１）に薬液（３）が浸潤する。鑷子をつまんだ状態で、薬液（３）が浸潤した綿球（１）をそのまま使用することができる。
【図面の簡単な説明】
【０００７】
【図１】本発明の側面図である。
【図２】本発明の［図１］のａ線の断面図である。
【符号の説明】
【０００８】１  綿球
２  隔壁
３  薬液
４  開放する部
【図１】
2008136829.tif 000003
【図２】
2008136829.tif 000004
(57)【要約】【課題】コンドームの伸縮によりペニスの根元付近を締め付け、脱落防止や性行為の持続の補助となるよう、コンドームの筒状部分を細く形成しても、使用後の引き抜きが容易なコンドームを供すること。【解決手段】コンドームの先端側部分の最大径よりも小に形成した筒状部分において、紙をジグザグに折っていき、Ｗの文字の形のように折る蛇腹折りのように、筒状部分を捲くりながら、折り返し線が環状で閉ループとなる筒状のまま、筒状部分が入れ子状に重なるよう、かつ、コンドームの先端側が入れ子状に重ねる部分の外側となるよう折り返し、入れ子状に重ねた状態４のまま、現在特許出願中の拡張装着リング３に巻取り、コンドームを装着することによる。【選択図】図２
2008136822.tif 000002
【特許請求の範囲】
【請求項１】
コンドームの先端側部分の最大径よりも小に形成した筒状部分において、紙をジグザグに折っていき、Ｗの文字の形のように折る蛇腹折りのように、筒状部分を捲くりながら、折り返し線が環状で閉ループとなる筒状のまま、筒状部分が入れ子状に重なるよう、かつ、コンドームの先端側が入れ子状に重ねる部分の外側となるよう折り返すことを特徴とするとともに、入れ子状に重ねた状態のまま装着するコンドーム。
【発明の詳細な説明】
【技術分野】
【０００１】本発明はコンドームの筒状部分の形状に関する。
【背景技術】
【０００２】コンドームは薄型化が進むとともに様々な形状の製品が開発され、自然な使用感が得られるようまた、使用感を高めることが出来るよう従来の効果に加えて快適な性生活を求める人々の要望に応える努力がなされている。【０００３】それらの開発努力の中には、ペニスの根元付近を締め付け、脱落防止や性行為の持続の補助、及び、精液もれの防止となるよう様々な工夫が見られる。（例えば、特許文献１・２・３参照）【０００４】また、現在特許出願中（ＰＣＴ／ＪＰ２００５／０２２５９２）の「コンドームの筒状部分の口径を伸ばして広げた状態のまま保持して巻取ることが可能な拡張装着リング」や、装着具（特許文献４参照）等の拡張装着具を使用したコンドームの考案がある。【０００５】しかし、筒状部分を細く形成する場合の小径部分の構造には、さらに強い締め付けを得るためには、超極厚にするか、又は、ラテックスフィルムをテープ状に巻き付ける等の方法が考えられるが、装着出来ても使用後の引き抜きが困難になるという課題があった。
【特許文献１】日本実開平６−３６６２１号
【特許文献２】日本特開２００２−１３６５３３号
【特許文献３】日本登録実用新案第３０５５２２１号
【特許文献４】国際出願第ＷＯ８８／０２６２４号
【発明の開示】
【発明が解決しようとする課題】
【０００６】コンドームの伸縮によりペニスの根元付近を締め付け、脱落防止や性行為の持続の補助となるよう、コンドームの筒状部分を細く形成しても、使用後の引き抜きが容易なコンドームを供すること。
【課題を解決するための手段】
【０００７】コンドームの先端側部分の最大径よりも小に形成した筒状部分において、紙をジグザグに折っていき、Ｗの文字の形のように折る蛇腹折りのように、筒状部分を捲くりながら、折り返し線が環状で閉ループとなる筒状のまま、筒状部分が入れ子状に重なるよう、かつ、コンドームの先端側が入れ子状に重ねる部分の外側となるよう折り返し、入れ子状に重ねた状態のまま、現在特許出願中の拡張装着リングに巻取り、コンドームを装着する。
【発明の効果】
【０００８】請求項１に記載のごとく、コンドームの筒状部分を入れ子のように重ねることにより、締め付け力を重ねる数で調整できるとともに、使用後の引き抜きの際は、筒状部分の重なりが外側から順にずれるようにほぐれるため、締め付け力が弱まり、コンドームの引き抜きが容易になる。
【発明を実施するための最良の形態】
【０００９】発明の実施形態について参考図を用いて説明する。図１はコンドームの筒状部分を長手方向に切断した断面図であり、コンドームの根元を細く形成した例を示している。本発明の実施形態は図１の状態から図２の状態に加工する。【００１０】まず、コンドーム１の一部を最大径Ｌよりも細く小径に形成する。なお、細く形成する部分２の形状や位置に制限は無い。【００１１】コンドーム１の先端側部分の最大径Ｌよりも小に形成した筒状部分２において、紙をジグザグに折っていき、Ｗの文字の形のように折る蛇腹折りのように、筒状部分２を捲くりながら、折り返し線が環状で閉ループとなる筒状のまま、コンドームの先端側が入れ子状に重ねる部分の外側となるよう折り返し、入れ子状に重ねた状態４のまま、現在特許出願中の「筒状部分の口径を伸ばして広げた状態のまま保持して巻取ることが可能となる拡張装着具のリング」３に巻取り、コンドーム巻戻しの装着時に、入れ子状に重ねた状態４となるようにする。【００１２】折り返し部分をずれにくくする必要がある場合は、図３のように折り返しの途中に折り返し部分をはさむ。はさむ位置を調整することにより、ずれにくさを調整できる。【００１３】コンドームの先端側が入れ子状に重ねる部分の外側となるよう折り返す方法としては、コンドームの基端部側を伸ばしながら捲くることにより、コンドームの外側に折り返し重ねることを繰り返して入れ子状態を形成し、その後、コンドーム全体を捲くりながら入れ子状態のまま裏返しにする方法が良い。なお、折り返す方法は図２のように筒状部分が重なればいかなる方法で折り返し重ねても良い。【００１４】コンドームを巻取る際は、筒状部分全体を、図４のようにリング３の内径付近まで伸長した状態にしてから、図５のように巻取ると良い。【００１５】なお、コンドームを装着する際には、筒状部分の口径を伸ばして広げた状態のまま保持して装着することが可能であれば良いため、拡張装着具は市販品のいかなるものでも良い。
【図面の簡単な説明】
【００１６】
【図１】コンドームの筒状部を長手方向に切断した断面図
【図２】コンドームを入れ子のように重なるよう折り返した状態の断面図
【図３】コンドームの折り返しの途中に折り返し部分をはさんだ状態の断面図
【図４】コンドームの筒状部をリング３の内径付近まで伸長した状態の断面図
【図５】コンドームを巻き取っている状態の断面図
【符号の説明】
【００１７】１  コンドーム（先端部省略）
２  コンドームを細く形成した部分
３  コンドームの口径を広げた状態のまま巻き取るリング（拡張装着具）
４  コンドームの先端側が外側となるよう折り返し、入れ子状に重ねた部分
Ｌ  コンドーム１の最大径
【図１】
2008136822.tif 000003
【図２】
2008136822.tif 000004
【図３】
2008136822.tif 000005
【図４】
2008136822.tif 000006
【図５】
2008136822.tif 000007
(57)【要約】【課題】  哺乳瓶・ペットボトル・コップ・水筒・のような内部を布巾で、拭いて乾燥させることのできない口の狭い容器を吊り下げ、乾燥させるため、どのような形態の容器にも容易に操作し装着し、容器サイズに自在適応できて、かつ、持ち運びに嵩張らない容器の吊り下げ具を提供する。【解決手段】  柔軟な帯（１）の片面に滑り止め材（２）を設ける。そしてその一端を環（３）に縫着する。一端を環にした紐（４）を柔軟な帯（１）に、数箇所通し、もう一端にＪ形鈎（７）又、カラビナ、吸盤などを取り付けて、どこにでも吊り下げられる様にしたものを特徴とする。【選択図】図１
2008136827.tif 000002
【特許請求の範囲】
【請求項１】
哺乳瓶・ペットボトル・コップ・水筒・のような内部を布巾で、拭いて乾燥させることのできない口の狭い容器を吊り下げ、乾燥させるため、柔軟な帯（１）の片面に滑り止め材（２）を塗着し、その一端を環（３）に逢着し、その帯に輪（４）を設けた紐をかけて、かぎ状の突起（７）や環・吸盤のような掛け具をつけた容器の吊り下げ具。
【請求項２】
滑り止め材（２）を備えている帯の裏面に、互いに係合するフック（５）とループ（６）の面ファスナー係合素子を備えた請求項１の容器の吊り下げ具。
【発明の詳細な説明】
【技術分野】
【技術分野】
【０００１】  本発明は、哺乳瓶・ペットボトル・コップ・水筒・のような内部を布巾で、拭いて乾燥させることのできない口の狭い容器の吊り下げ具に関するものである。
【背景技術】
【背景技術】
【０００２】  ジュース，お茶，コーヒーなど飲料水の容器の場合には、こぼれ難く且つ飲みやすくするために、容器の飲み口が小さくなっている。しかし、使用した都度洗浄乾燥させるため下向きに置くが、容器の飲み口が乾燥かごに接触したままになる。この場合、容器の中の水分が流れ出し、飲み口の部分が乾燥かごに接触した状態で湿った状態が続くことになる。このために、容器自体の形状について、改良を行うことで対応する文献が出されている。【０００３】
【特許文献】（特許文献１  特開２００４−１８１１７０広報）（特許文献２  特開２００１−３０９８４１広報）（特許文献３  実開平１−５６７６２広報）（特許文献４  登録実用新案第３０６３１６２広報）（特許文献５  特許第２９５５８５２広報）（特許文献６  実開平１−１７７９８０広報）（特許文献７  実開平２−２０６７広報）（特許文献８  実開昭５７−１８９８１広報）文献は、取っ手のあるコップや、容器の底にハンガー形フックを取り付けるなど容器の形状自体を工夫して容器を乾燥させるものであり、既成の市販容器に対応したものではない。
【発明の開示】
【発明が解決しようとする課題】
【０００４】  本発明は、以上の実情に鑑み提案されたもので、容器本体の形状を問わずに容器を吊り下げて、これら容器の水切りに手間をかけずに、衛生的に自然乾燥を早めカビや汚れの付着を防ぐ吊り下げ具の提供を第１の目的とする。
【課題を解決するための手段】
【０００５】  本発明は、径の異なる種々の容器に対しても自在に適応できる吊り下げ具の提供を第２の目的とする。【０００６】  本発明は、保管場所をとらず、持運ぶ際にも嵩張らず携帯可能となる吊り下げ具の提供を第３の目的とする。
【課題を解決するための手段】
【０００７】  柔軟な帯（１）の片面に滑り止め材（２）を設ける。そしてその一端を環（３）に縫着する。一端を環にした紐（４）を柔軟な帯（１）に、数箇所通し、もう一端にＪ形鈎（７）又、カラビナ、吸盤などを取り付けて、どこにでも吊り下げられる様にしたもの。
本発明は、以上の構成からなる容器の吊り下げ具である。
【発明を実施するための最良の形態】
【０００８】  以下、本発明の実施の形態について説明する。
（イ）  柔軟な帯（１）の片面に、滑り止め材（２）を径の異なる種々の蓋の外周面にピッタリ沿わせるため、帯の柔軟性を損なわない範囲で塗着する。図１、図２、図３ＡＢ、図４の（２）参照
（ロ）  柔軟な帯（１）の一端を環（３）に縫着する。中央に支軸を備えている環を使用することもできる。図１、図２、図３ＡＢ、図４の（３）参照
（ハ）  一端を環にした紐（４）を柔軟な帯（１）に、数箇所通し、もう一端にＪ形鈎又、カラビナ、吸盤などを取り付けて、どこにでも吊り下げられる様にしたもの。Ｊ形鈎は図１の（７）参照。
本発明は、以上のような構成で、これを使用するときは、環（３）に接続された柔軟な帯（１）の滑り止め材（２）側を容器の径（８）に密着させながら捲着する。図１参照
そして、帯（１）の環（３）に逢着されていない端を環（３）に挿し通す。図１参照
帯の滑り止め材（２）を備えている側の裏面にフックとループの機能を備えた面ファスナー（５）を設けている場合は、環（３）から帯（１）を折り返して、蓋の外周と折り返し部の面ファスナー（５）をしっかり掛け合わせる。図４参照
面ファスナーを使用しない場合は、環（３）に支軸があるものを使用して、一度、支軸に帯（１）をかけてから、帯（１）を折り返す。
そのあとで、Ｊ形鈎（７）を、都合の良い場所へ掛けて、容器を真っ逆さまに吊るす。
【発明の効果】
【０００９】  従来のように、容器の形状自体に工夫がされていなくても、現実に市販されているさまざまな形態の容器を吊り下げることができ容易に第１の目的を達成できる。
自在にサイズ適応が可能なため、一つ所有するだけで、さまざまな径の容器を吊り下げることができる。  これにより第２の目的を達成できる。
単純な構造であるため、大きさも嵩張らず、持ち運びにも便利で外出先に携帯しやすくなった。これにより第３の目的を達成できる。
【図面の簡単な説明】
【図１】  本発明による容器の吊り下げ具の使用状態を示した斜視図である。
【図２】  本発明による容器の吊り下げ具の帯（１）を示した斜視図である。
【図３】  Ａ本発明による吊り下げ具の帯（１）の正面図である。Ｂ本発明による容器の吊り下げ具の帯（１）の側面図である。
【図４】  本発明による容器の吊り下げ具の帯（１）を示した斜視図である。
【符号の説明】
１  帯
２  環
３  滑り止め材
４  紐
５  面ファスナーフック部
６  面ファスナーループ部
７  Ｊ形鈎
８  容器本体
【図１】
2008136827.tif 000003
【図２】
2008136827.tif 000004
【図３】
2008136827.tif 000005
【図４】
2008136827.tif 000006